(57)【特許請求の範囲】
【請求項１】
遊星ギヤの歯部と噛み合わせて取り付けられるインターナルギヤと、
前記インターナルギヤの収納部と、モータから延出する駆動軸を支持する軸受の収納部とが一体になったベアリングブラケットと、
を備えるインパクトレンチにおいて、
前記インターナルギヤの外周面に突部を設け、
前記ベアリングブラケットの縁に溝を設け、
インパクトレンチの外被の一部を形成するセンターフレームの内周面に段付き部を設けるのと同時に、前記ベアリングブラケットを取り付け、
この段付部及び溝にインターナルギヤの突部を取り付けて、このインターナルギヤの位置決め、固定を行ったことを特徴とするインパクトレンチ。
【発明の詳細な説明】
【０００１】
【発明の属する技術分野】
打撃することにより高トルクを発生させ、ボルト、ネジ等を締め付けるインパクトレンチに関する。
【０００２】
【従来の技術】
高トルク締め付けが必要なボルト、ネジ等の締め付けに使用する従来のインパクトレンチについて図５を用いて説明する。図５は、従来におけるインパクトレンチの部分側断面図である。
【０００３】
図５において、インパクトレンチ２１は、ボルト、ネジ等を締結するためのビットを収納、固定するビットハウジング２２ａを備えたアンビル２２と、このアンビル２２を支持し、かつインパクトレンチ２１の外被の一部を形成するフロントフレーム２３と、アンビル２２を打撃する突部を備えたハンマー２４と、このハンマー２４とアンビル２２とを内周面より支持し、ハンマー２４とアンビル２２とを回転自在にする支持棒２５と、ハンマー２４を駆動するためのモータ２６を備えた駆動部２７と、モータ２６の駆動力を支持棒２５に伝えるギヤ部２８と、インパクトレンチ２１本体を保持するための把持部２９等で構成されている。
【０００４】
また、ギヤ部２８は、ギヤ部２８の外被を形成するセンターフレーム３０と、このセンターフレーム３０の内周面に取り付けられたベアリングブラケット３１と、このベアリングブラケット３１に収納されたインターナルギヤ３２と、このインターナルギヤ３２の歯部３２ａと噛み合わせて取り付けられた遊星ギヤ３３とで構成されている。また、ベアリングブラケット３１は、モータ２６から延出した駆動軸２６ａを支持する軸受３４を収納している。
【０００５】
そして、駆動部２７に電源が投入されて、モータ２６に電力が供給されると、モータ２６は、ギヤ部２８を介して回転力を支持棒２５に伝達する。
【０００６】
そして、支持棒２５が回転を開始すると、ハンマー２４を介して回転力をアンビル２２に伝達し、ネジ等を締め付ける。そして、ネジ等の締め付けトルクが、一定のトルクに達するとアンビル２２がロック状態になり、支持棒２５が空転を開始すると、ハンマー２４は、支持棒２５のカム機構部により、軸方向であって、駆動部２７側の方向へ移動させられる。このとき、ハンマー２４に取り付けられているバネ３５は圧縮されていく。
【０００７】
ハンマー２４が任意の距離だけ移動すると、ハンマー２４の突部２４ａがアンビル２２から外れ、ハンマー２４は空転状態になる。そして、圧縮されたバネ３５の力が解放され、ハンマー２４はスパイラル状に回動しながら、突部２４ａの側面とアンビル２２の側面が接面し打撃する。
【０００８】
このアンビル２２を打撃する際の打撃力により、アンビル２２に瞬間的に高トルクが発生する。そして、このトルク力により、インパクトレンチ２１は、打撃力を加えながらボルト、ネジ等を締め付けることができる。
【０００９】
【発明が解決しようとする課題】
従来の構造では、図の示すとおり、止め輪３６とベアリングブラケット３１を用いてインターナルギヤ３２を固定しているため、ベアリングブラケット３１およびインターナルギヤ３２を固定する構造が複雑になっていた。
【００１０】
【課題を解決するための手段】
そこで、本発明によれば、遊星ギヤの歯部と噛み合わせて取り付けられるインターナルギヤと、前記インターナルギヤの収納部と、モータから延出する駆動軸を支持する軸受の収納部とが一体になったベアリングブラケットと、を備えるインパクトレンチにおいて、前記インターナルギヤの外周面に突部を設け、前記ベアリングブラケットの縁に溝を設け、インパクトレンチの外被の一部を形成するセンターフレームの内周面に段付き部を設けるのと同時に、前記ベアリングブラケットを取り付け、この段付部及び溝にインターナルギヤの突部を取り付けて、このインターナルギヤの位置決め、固定を行ったことを特徴とするインパクトレンチを提供する。
【００１１】
【作用】
センターフレームに段付き部を設け、この段付き部にインターナルギヤの外周面を取り付けて、インターナルギヤの位置決めおよび固定を行う。
【００１２】
【発明の実施の形態】
本発明における実施例を図１を用いて説明する。図１は、本発明におけるギヤ部の付近の部分断面図である。図２は、本発明におけるベアリングブラケットの斜視図である。図３は、本発明におけるインターナルギヤの斜視図である。図４は、ベアリングブラケットとインターナルギヤを勘合した際の斜視図である。
【００１３】
図１において、インパクトレンチ１は、従来と同様に、ビットハウジング２ａを備えたアンビル２と、このアンビル２を支持し、かつインパクトレンチ１の外被の一部を形成するフロントフレーム３と、アンビル２を打撃する突部４ａを備えたハンマー４と、このハンマー４とアンビル２とを内周面より支持し、ハンマー４とアンビル２とを回転自在に保持する支持棒５と、ハンマー４を駆動するためのモータ６を備えた駆動部７と、モータ６の駆動力を支持棒５に伝えるギヤ部８と、締結作業時にインパクトレンチ１本体を保持するための把持部９等で構成されている。
【００１４】
ギヤ部８は、センターフレーム１０の内周面に取り付けられたベアリングブラケット１１と、このベアリングブラケット１１に収納されたインターナルギヤ１２と、このインターナルギヤ１２の歯部１２ｂと噛み合わせて取り付けられた遊星ギヤ１３とで構成されている。
【００１５】
図３において、ベアリングブラケット１１は、円板状に形成されており、中心部には、軸受１４の外周面が嵌着できるように孔１１ａが設けられている。また、一方の側面には、溝１１ｂが設けられている。
【００１６】
図２において、インターナルギヤ１２の外周面には、放射状に延出した突部１２ａが設けられており、この突起１２ａをベアリングブラケット１１の溝１１ｂに嵌合することで、ベアリングブラケット１１とインターナルギヤ１２とを固定する。
【００１７】
図４において、ベアリングブラケット１１の溝１１ｂにインターナルギヤ１２の突部１２ａが嵌合されると、ベアリングブラケット１１の外周面からインターナルギヤ１２の突部１２ａの先端が任意の長さ突出する。この突出部をセンターフレーム１０の段付き部１０ａに嵌合させる。センターフレーム１０は、段付き部１０ａで係合するように二つ割りで形成されており、インターナルギヤ１２を取り付け後、２個のセンターフレーム１０を重ね合わせることで、インターナルギヤ１２の位置決め、および固定を行っている。
【００１８】
【発明の効果】
本発明によれば、２個のセンターフレームにインターナルギヤを収納し、このフレームを係合するだけでインターナルギヤの位置決めを行うことができ、組み立て作業の能率を向上することができる。また、締結時の反力の吸収を行うことができる。
【００１９】
【図面の簡単な説明】
【図１】本発明におけるギヤ部の付近の部分断面図。
【図２】本発明におけるベアリングブラケットの斜視図。
【図３】本発明におけるインターナルギヤの斜視図。
【図４】ベアリングブラケットとインターナルギヤを勘合した際の斜視図。
【図５】従来におけるインパクトレンチの部分側断面図。
【符号の説明】
１、２１…インパクトレンチ
２、２２…アンビル
２ａ、２２ａ…ビットハウジング
３、２３…フロントフレーム
４、２４…ハンマー
５、２５…支持棒
６、２６…モータ
７、２７…駆動部
８、２８…ギヤ部
９、２９…把持部
１０、３０…センターフレーム
１１、３１…ベアリングブラケット
１２、３２…インターナルギヤ
１２ａ…突起
１２ｂ…歯部
１３、３３…遊星ギヤ
３４…軸受
３５…バネ
３６…止め輪
【図１】
0004313450.tif 000002
【図２】
0004313450.tif 000003
【図３】
0004313450.tif 000004
【図４】
0004313450.tif 000005
【図５】
0004313450.tif 000006